(57)【要約】【課題】  複数のサポートアームのそれぞれを独立して動かすことができるカップホルダの提供。【解決手段】  （１）カップ収納部２１を有するリテーナ２０と、ガイド面３３を備え、カップ収納部２１の周縁部にカップ収納部２１内に出入り可能に配置された複数のサポートアーム３０と、サポートアーム３０と同数設けられサポートアーム３０をカップ収納部２１内から出る方向に付勢する付勢バネ４０と、リテーナ２０に対して回動可能とされ、サポートアーム３０のガイド面３３と摺動してサポートアーム３０を付勢バネ４０の付勢力に抗してカップ収納部２１内に入れるリング状部材５０と、を有する、カップホルダ。。（２）サポートアーム３０は、カップ収納部２１の中心部Ｏを中心として弧状に延びるアーム本体３１と、アーム本体３１の外面に形成されたガイド部３２を有しており、ガイド面３３はガイド部３２の外面に設けられている。【選択図】        図１
2005178639.tif 000002
【特許請求の範囲】
【請求項１】
カップ収納部を有するリテーナと、
ガイド面を備え、前記カップ収納部の周縁部に該カップ収納部内に出入り可能に配置された複数のサポートアームと、
前記サポートアームと同数設けられ前記サポートアームを前記カップ収納部内から出る方向に付勢する付勢バネと、
前記リテーナに対して回動可能とされ、前記サポートアームのガイド面と摺動して前記サポートアームを前記付勢バネの付勢力に抗して前記カップ収納部内に入れるリング状部材と、
を有するカップホルダ。
【請求項２】
前記サポートアームは、前記カップ収納部の中心部を中心として弧状に延びるアーム本体と、該アーム本体の外面に形成されたガイド部を有しており、
前記ガイド面は、前記ガイド部の外面に設けられている、
請求項１記載のカップホルダ。
【発明の詳細な説明】
【技術分野】
【０００１】
本発明は、カップホルダに関し、とくに、複数のサポートアームを有するカップホルダに関する。
【背景技術】
【０００２】
複数のサポートアームとリング状部材を有するカップホルダは、たとえば、（ａ）実開平１−１７３０２９号公報、（ｂ）実開平２−１４３２３１号公報に開示されている。
（ａ）実開平１−１７３０２９号公報
サポートアームにガイド溝が形成されている。リング状部材を回動させたとき、サポートアームは、ガイド溝が固定ピンに案内されることにより、揺動する。
（ｂ）実開平２−１４３２３１号公報
サポートアームとリング状部材に互いに噛合うギヤが設けられている。リング状部材を回動させたとき、サポートアームは揺動する。
【０００３】
しかし、上記（ａ）（ｂ）の公報に開示されたカップホルダには、つぎの問題点がある。
カップ収納部内に突出しているサポートアームを収納するとき、複数のサポートアームのうちの１つに指等が引っ掛かると、複数のサポートアームとリング状部材の全部が動かなくなる。そのため、複数のサポートアームのうちの１つに指等が引っ掛かったとき、引っ掛かった指等を外すためには複数のサポートアームとリング状部材の全部を動かさなければならず、手間がかかる。指等が引っ掛かったサポートアームだけを無理やり動かそうとすると、カップホルダ自体が壊れるおそれがある。
【特許文献１】実開平１−１７３０２９号公報
【特許文献２】実開平２−１４３２３１号公報
【発明の開示】
【発明が解決しようとする課題】
【０００４】
本発明が解決しようとする問題点は、複数のサポートアームのそれぞれを独立して動かすことができないことである。
本発明の目的は、複数のサポートアームのそれぞれを独立して動かすことができるカップホルダを提供することにある。
【課題を解決するための手段】
【０００５】
上記目的を達成する本発明はつぎの通りである。
（１）  カップ収納部を有するリテーナと、
ガイド面を備え、前記カップ収納部の周縁部に該カップ収納部内に出入り可能に配置された複数のサポートアームと、
前記サポートアームと同数設けられ前記サポートアームを前記カップ収納部内から出る方向に付勢する付勢バネと、
前記リテーナに対して回動可能とされ、前記サポートアームのガイド面と摺動して前記サポートアームを前記付勢バネの付勢力に抗して前記カップ収納部内に入れるリング状部材と、
を有するカップホルダ。
（２）  前記サポートアームは、前記カップ収納部の中心部を中心として弧状に延びるアーム本体と、該アーム本体の外面に形成されたガイド部を有しており、
前記ガイド面は、前記ガイド部の外面に設けられている、
（１）記載のカップホルダ。    
【発明の効果】
【０００６】
上記（１）、（２）のカップホルダでは、リング状部材を回動させることでサポートアームをカップ収納部内に付勢バネの付勢力に抗して入れることができ、リング状部材を反対方向に回転させることで付勢バネの付勢力によりサポートアームをカップ収納部から出すことができる。そのため、カップ収納部内に入り込んでいるサポートアームをカップ収納部から出すときに複数のサポートアームのうちの一つに指等が引っ掛かっても、指等が引っ掛かったサポートアームのみを付勢バネの付勢力に抗してカップ収納部の中心側に移動させることにより、引っ掛かった指等をサポートアームから外すことができる。したがって、指等が引っ掛かっていないサポートアームやリング状部材まで動かさなくても指等が引っ掛かったサポートアームのみを動かすことができる。したがって、各サポートアームは従来と異なり独立である。
【発明を実施するための最良の形態】
【０００７】
図１〜図９は、本発明実施例１のカップホルダを示しており、図１０〜図１６は、本発明実施例２のカップホルダを示している。
以下、本発明実施例１と本発明実施例２にわたって共通する部分には、本発明実施例１と本発明実施例２にわたって同じ符号を付す。
まず、本発明実施例１と本発明実施例２に共通する部分を、たとえば図１〜図８を参照して、説明する。
【０００８】
本発明実施例のカップホルダは、車両用カップホルダであり、車両の内装部材であるインスツルメントパネル、コンソールパネル等に設けられる。
本発明実施例のカップホルダ１０は、図１に示すように、カップ収納部２１を有するリテーナ２０と、ガイド面３３を備え、カップ収納部２１の周縁部にカップ収納部２１内に出入り可能に配置された複数のサポートアーム３０と、サポートアーム３０と同数設けられサポートアーム３０をカップ収納部２１内から出る方向に付勢する付勢バネ４０と、リテーナ２０に対して回動可能とされ、サポートアーム３０のガイド面３３と摺動してサポートアーム３０をカップ収納部２１内に入れるリング状部材５０と、を有する。カップホルダ１０は、さらに、カバー６０を有する。
【０００９】
リテーナ２０のカップ収納部２１は、少なくとも１つ設けられる（図示例では、２つ設けられている場合を示している）。カップ収納部２１は、上方に開放している。
リテーナ２０の上面に、サポートアーム取付け部２２と、リング状部材４０のリテーナ２０に対する回動範囲を規制するストッパ壁２３が形成されている。
サポートアーム取付け部２２は、カップ収納部２１の開口の周縁部に設けられている。サポートアーム取付け部２２は、サポートアーム３０と同数設けられている。
【００１０】
ストッパ壁２３は、カップ収納部２１の開口の周縁部に、カップ収納部２１の開口から距離を隔てて設けられている。ストッパ壁２３は、サポートアーム取付け部２２よりも、カップ収納部２１から離れた位置に設けられている。ストッパ壁２３は、第１のストッパ壁２３ａと、第２のストッパ壁２３ｂと、からなる。第１のストッパ壁２３ａと第２のストッパ壁２３ｂとで１組のストッパ壁２３を構成する。ストッパ壁２３は、リング状部材５０の後述のボス部５３と同数の組数設けられている。
第1のストッパ壁２３ａは、リング状部材５０を一方向に回動させたときにリング状部材５０のボス部５３と当接しリング状部材５０がそれ以上一方向に回動することを規制し、第２のストッパ壁２３ｂは、リング状部材５０を他方向に回動させたときにリング状部材５０のボス部５３と当接しリング状部材５０がそれ以上他方向に回動することを規制する。
【００１１】
サポートアーム３０は、複数からなる（図示例では、１つのカップ収納部２１に対して３つある場合を示している）。サポートアーム３０は、カップ収納部２１の中心部Ｏを中心として弧状に延びるアーム本体３１と、アーム本体３１の外面（外表面）３１ａに形成されたガイド部３２を有している。
【００１２】
アーム本体３１は、延び方向一端部に取付け用穴３１ｂを有している。取付け用穴３１ｂの軸芯とリテーナ２０のサポートアーム取付け部２２の軸芯とを合わせた状態で、スクリュ７０を取付け用穴３１ｂに挿通させサポートアーム取付け部２２に挿入することにより、アーム本体３１は、リテーナ２０に揺動可能に支持される。アーム本体３１がリテーナ２０に揺動可能に支持されるので、サポートアーム３０がリテーナ２０に揺動可能に支持される。以下、サポートアーム３０の揺動中心をＰとする。
【００１３】
ガイド部３２は、アーム本体３１に一体に形成されていてもよく、アーム本体３１と別体に形成されてアーム本体３１に固定して取付けられていてもよい。ガイド部３２は、ほぼ弧状に延びており、アーム本体３１の長手方向中間部から取付け用穴３１ｂの近傍まで（揺動中心Ｐ近傍まで）設けられている。
ガイド部３２の弧の外面（外表面）には、ガイド面３３が設けられている。ガイド面３３は、ガイド部３２の外面の全体にわたって設けられていてもよく、ガイド部３２の外面の一部にのみ設けられていてもよい。ガイド面３３は、揺動中心Ｐから離れる方向にいくにつれてカップ収納部２１の中心Ｏに近づく方向に傾斜する傾斜面になっている。ガイド面３３は、平面であってもよく、１つまたは複数の曲率をもつ曲面であってもよい。
【００１４】
付勢バネ４０は、たとえばコイルバネからなる。ただし、付勢バネ４０は、コイルバネに限定されるものではない。付勢バネ４０は、１つのサポートアーム３０に１個設けられている。付勢バネ４０の一端はリテーナ２０に当てられており、付勢バネ４０の他端はサポートアーム３０に当てられている。付勢バネ４０は、サポートアーム３０を揺動付勢する。付勢バネ４０は、サポートアーム３０をリング状部材５０に押し当てる方向に（カップ収納部２１から出て行く方向に）付勢する。
【００１５】
リング状部材５０は、リテーナ２０の上面に置かれている。リング状部材５０の中心は、リテーナ２０のカップ収納部２１の中心Ｏと一致している。リング状部材５０は、リテーナ２０に対して中心Ｏまわりに回動可能とされている。リング状部材５０は、リング状部材５０を手で回動させることにより中心Ｏまわりに回動可能とされていてもよく（手動式であってもよく）、リング状部材５０をモーターで回動させることにより中心Ｏまわりに回動可能とされていてもよい（電動式であってもよい）。
リング状部材５０はリテーナ２０とカバー６０の間に位置する。リング状部材５０は、プレート状の本体部５１と、突出部５２と、ボス部５３を有する。
【００１６】
突出部５２は、本体部５１の上面に設けられている。突出部５２は、少なくとも１個設けられている。突出部５２は、複数設けられる場合、本体部５１の周方向の異なる位置に設けられる。突出部５２は、図２に示すように、カバー６０のカップ挿入穴６１からカバー６０の上方に突出している。突出部５２の外面（外表面）とカバー６０のカップ挿入穴６１の縁との間には、カバー６０に対してリング状部材５０ががたつかない程度の隙間がある。
【００１７】
ボス部５３は、図１に示すように、本体部５１の下面から下方に（リテーナ２０側に）突出して設けられている。ボス部５３は、少なくとも１個設けられている（図示例では、３つ設けられている場合を示している）。ボス部５３は、複数設けられる場合、本体部５１の周方向の異なる位置に設けられる。ボス部５３は、リテーナ２０のストッパ壁２３に当接可能である。ボス部５３がストッパ壁２３に当るまで、リング状部材５０はリテーナ２０に対して回動可能である。
ボス部５３の側壁面は、リング状部材５０がリテーナ２０に対して回動したとき、ガイド面３３と摺動接触する。
【００１８】
カバー６０は、リテーナ２０の上面に取付けられる。カバー６０は、スクリュ７１でリテーナ２０に取付けられる。カバー６０には、カップ収納部２１を開放するために、カップ挿入穴６１が設けられている。
【００１９】
本発明実施例１と本発明実施例２にわたって共通する部分の作動を説明する。
（ａ）カップ収納部２１から出ている（図３〜図５に示す状態にある）サポートアーム３０をカップ収納部２１内に入れるとき
リング状部材５０をリテーナ２０に対してＺ方向に回動させると、ボス５３がガイド面３３に摺動しながらサポートアーム３０の揺動中心Ｐ側に移動する。ボス５３が揺動中心Ｐ側に移動すると、サポートアーム３０が、付勢バネ５０の付勢力に抗してサポートアーム３０の揺動中心Ｐまわりに揺動し、カップ収納部２１内に入り込んでくる。複数のサポートアーム３０の全部（図示例では３個）が同じ動きをする。
（ｂ）カップ収納部２１に入り込んでいる（図６〜図８に示す状態にある）サポートアーム３０をカップ収納部２１から出すとき
リング状部材５０をリテーナ２０に対して反Ｚ方向に回動させると、ボス部５３がサポートアーム３０の揺動中心Ｐから離れる方向に移動する。ボス部５３が揺動中心Ｐから離れる方向に移動すると、サポートアーム３０が、付勢バネ４０の付勢力により揺動中心Ｐまわりに揺動し、カップ収納部２１から出て行く。複数のサポートアーム３０が全部（図示例では３個）同じ動きをする。
（ｃ）カップ収納部２１に入り込んでいるサポートアーム３０をカップ収納部２１から出すときに複数のサポートアーム３０のうちの一つに指等が引っ掛かったとき
リング状部材５０をリテーナ２０に対して反Ｚ方向に回動させると、サポートアーム３０が付勢バネ４０の付勢力により揺動中心Ｐまわりに揺動し、カップ収納部２１から出て行く。そのときに複数のサポートアーム３０のうちの一つに指等が引っ掛かると、指等が引っ掛かっていないサポートアーム３０は指等が引っ掛かったサポートアーム３０の影響を受けることなく、指等が引っ掛かったサポートアーム３０のみが付勢バネ４０の付勢力に抗して揺動を妨げられる。そのため、指等が引っ掛かったサポートアーム３０のみを付勢バネ４０の付勢力に抗して中心Ｏ側に移動させることにより、引っ掛かった指等をサポートアーム３０から外すことができる。
【００２０】
本発明実施例１と本発明実施例２にわたって共通する部分の作用・効果を説明する。
本発明実施例では、サポートアーム３０が付勢バネ４０の付勢力でリング状部材５０に押し当てられており、リング状部材５０を回動させることによりボス部５３がガイド面３３上を摺動してサポートアーム３０を付勢バネ４０の付勢力に抗して揺動させる。そのため、カップ収納部２１内に入り込んでいるサポートアーム３０をカップ収納部２１から出すときに、複数のサポートアーム３０のうちの一つに指等が引っ掛かっても、指等が引っ掛かったサポートアーム３０のみを付勢バネ４０の付勢力に抗してカップ収納部２１の中心Ｏ側に移動させることにより、引っ掛かった指等をサポートアーム３０から外すことができる。したがって、指等が引っ掛かっていないサポートアーム３０やリング状部材５０まで動かす必要はなく、各サポートアーム３０は従来と異なり独立である。
【００２１】
つぎに、本発明の各実施例に特有な部分を説明する。
[実施例１]（図１〜図９）
本発明実施例１では、リング状部材５０が手動式である場合を示している。
本発明実施例１では、図１に示すように、リテーナ２０の上面にリング状部材５０のボス部５３と同数の節度山部２４が形成されている。リング状部材５０の突出部５２は、複数（３個）設けられており、ボス部５３は下方に開放する円筒形状になっている。
ボス部５３には、図９に示すように、節度バネ５３ａと節度ピン５３ｂが設けられている。節度バネ５３ａは、節度ピン５３ｂをボス部５３内から下方に出る方向に常時付勢している。節度ピン５３ｂの下端部は、ボス部５３内から下方に出ている。節度ピン５３ｂの下端は、常時、節度バネ５３ａにより節度山部２４に押当てられている。
本発明実施例１では、リング状部材５０が手動式であるので、リング状部材５０が電動式である場合に比べて低コスト化をはかることができる。
【００２２】
[実施例２]（図１０〜図１６）
本発明実施例２では、リング状部材５０が電動式である場合を示している。
本発明実施例２では、図１０に示すように、リング状部材５０の突出部５２は周方向に延びる１個のみからなり、リング状部材５０にさらにギヤ５４が設けられている。本発明実施例２のカップホルダは、モーター８０と、ギア８１ａを有するパルススイッチ８１と、センサ８２と、リミットスイッチ基板８３を、さらに有する。
モーター８０は、リテーナ２０にスクリュ７２で取付けられている。モーター８０は、リング状部材５０のギヤ５４と噛合うギヤ８０ａを備えている。モーター８０が駆動するとリング状部材４０が回動する。
パルススイッチ８１は、ブラケット８１ｂとスクリュ７３でリテーナ２０に取付けられる。ギヤ８１ａは、モーター８０のギヤ８０ａと噛合っている。
センサ８２は、リテーナ２０にスクリュ７４で取付けられる。センサ８２は、カップ収納部２１にカップ等が入っているか否かを感知し、その信号をリミットスイッチ基板８３に送る。
リミットスイッチ基板８３は、スクリュ７５でリテーナ２０に取付けられる。リミットスイッチ基板８３は、パルススイッチ８１、センサ８２からの信号を受け、モーター８０に指示を出す。
【００２３】
ここで、本発明実施例２の作動・作用を説明する。
（ａ）  サポートアーム３０が図１１〜図１３に示す状態にあり、カップ収納部２１にカップ等を挿入したとき
カップ等が入ったことをセンサ８２で感知し、センサ８２がリミットスイッチ基板８３に信号を送る。信号を受けたリミットスイッチ基板８３は、モーター８０に指示を送る。指示を受けたモーター８０は、駆動し、リング状部材５０をＺ方向に回動させる。リング状部材５０が回動することによりサポートアーム３０がカップ収納部２１内に入る方向に付勢バネ４０の付勢力に抗して揺動する。図１４〜図１６に示す、カップ等のところまでサポートアーム３０が揺動すると、モーター８０のギヤ８０ａが回転できなくなりパルススイッチ８１に負荷がかかる。その信号をパルススイッチ８１がリミットスイッチ基板８３に送り、リミットスイッチ８３がモーター８０に指示を出し、モーター８０が止まる。なお、このとき、挿入したカップ等をカップ収納部２１から容易に取出すことができるように、一定量（一定時間）モーター８０のギヤ８０ａを逆回転させるようにしてもよい。
【００２４】
（ｂ）  カップ収納部２１からカップ等を取出すとき
センサ８２でカップ等が取出されたことを感知し、センサ８２がリミットスイッチ基板８３に信号を送る。信号を受けたリミットスイッチ基板８３は、モーター８０に指示を出し、モーター８０のギヤ８０ａをカップ等挿入時と反対方向に駆動させる。モーター８０が駆動することよりリング状部材５０が反Ｚ方向に回動し、サポートアーム３０が付勢バネ４０の付勢力によりカップ収納部２１から出て行く。カップ収納部２１にカップ等が挿入される前の位置までサポートアーム３０が戻ったとき、リミットスイッチ基板８３が戻ったことを認知し、リミットスイッチ８３からモーター８０に回転を止める指示を出す。指示を受けたモーター８０が止まる。
【００２５】
本発明実施例２では、リング状部材５０が電動式であるので、リング状部材５０が手動式である場合に比べて、高級感をだすことができる。
【図面の簡単な説明】
【００２６】
【図１】本発明実施例１のカップホルダの分解斜視図である。
【図２】本発明実施例１のカップホルダの斜視図である。
【図３】本発明実施例１のカップホルダの、サポートアームがカップ収納部から出ているときを示す平面図である。
【図４】図３のＡ−Ａ線断面図である。
【図５】図３のＢ−Ｂ線断面図である。
【図６】本発明実施例１のカップホルダの、サポートアームがカップ収納部内に入り込んでいるときを示す平面図である。
【図７】図６のＣ−Ｃ線断面図である。
【図８】図６のＤ−Ｄ線断面図である。
【図９】本発明実施例１のカップホルダの、リング状部材のボス部とその近傍を示す断面図である。
【図１０】本発明実施例２のカップホルダの分解斜視図である。
【図１１】本発明実施例２のカップホルダの、サポートアームがカップ収納部から出ているときを示す平面図である。
【図１２】図１１のＥ−Ｅ線断面図である。
【図１３】図１１のＦ−Ｆ線断面図である。
【図１４】本発明実施例２のカップホルダの、サポートアームがカップ収納部内に入り込んでいるときを示す平面図である。
【図１５】図１４のＧ−Ｇ線断面図である。
【図１６】図１４のＨ−Ｈ線断面図である。
【符号の説明】
【００２７】
１０  カップホルダ
２０  リテーナ
２１  カップ収納部
３０  サポートアーム
３１  アーム本体
３２  ガイド部
３３  ガイド面
４０  付勢バネ
５０  リング状部材
５１  本体部
５２  突出部
５３  ボス部
６０  カバー
Ｏ  カップ収納部の中心
Ｐ  サポートアームの揺動中心
【図１】
2005178639.tif 000003
【図２】
2005178639.tif 000004
【図３】
2005178639.tif 000005
【図４】
2005178639.tif 000006
【図５】
2005178639.tif 000007
【図６】
2005178639.tif 000008
【図７】
2005178639.tif 000009
【図８】
2005178639.tif 000010
【図９】
2005178639.tif 000011
【図１０】
2005178639.tif 000012
【図１１】
2005178639.tif 000013
【図１２】
2005178639.tif 000014
【図１３】
2005178639.tif 000015
【図１４】
2005178639.tif 000016
【図１５】
2005178639.tif 000017
【図１６】
2005178639.tif 000018